(57)【要約】【課題】  遠近距離に係らず、自動的にファーカッシングする監視カメラを提供する。【解決手段】  ケースに設置されるレンズ群と、画像取り込みユニット組と、照明装置と、感光モジュールとを有するオートフォーカス監視カメラであって、該レンズ群は順序に排列する第１凹凸レンズと、第２凹凸レンズと、第３凹レンズと、第４凸レンズとを有し、第１凹凸レンズと第２凹凸レンズの物体側の曲率半径は結像側より小さく、第３凹レンズが両面凹状のレンズであり、その物体側の曲率半径は結像側より大きく、第４凸レンズが両面凸状のレンズであり、その両面の曲率は等しいことを特徴とする。【選択図】  図１
0003106392.tif 000002
【実用新案登録請求の範囲】
【請求項１】
ケースに設置されるレンズ群と、画像取り込みユニット組と、照明装置と、感光モジュールとを有するオートフォーカス監視カメラであって、
該レンズ群は順序に排列する第１凹凸レンズと、第２凹凸レンズと、第３凹レンズと、第４凸レンズとを有し、第１凹凸レンズと第２凹凸レンズの物体側の曲率半径は結像側より小さく、第３凹レンズが両面凹状のレンズであり、その物体側の曲率半径は結像側より大きく、第４凸レンズが両面凸状のレンズであり、その両面の曲率は等しいことを特徴とするオートフォーカス監視カメラ。
【請求項２】
前記レンズ群は、物理学のレンズ結像理論によって排列され、該レンズ結像理論は下記式（１）で示される。
１/ｖ+１/ｕ＝ｆ…（１）
前記ｆは焦点距離であり、ｕは物体側の距離であり、ｖは結像側の距離であることを特徴とする請求項１に記載のオートフォーカス監視カメラ。
【請求項３】
前記第１凹凸レンズの中心の厚みは５.１±０.１ｍｍであり、物体側の曲率は１４.１５５であり、結像側の曲率は２０１.８であり、
前記第２凹凸レンズの中心の厚みは３.１±０.１ｍｍであり、物体側の曲率は１０.５４４であり、結像側の曲率は１７.２９８であり、
前記第３凹レンズの中心の厚みは０.７±０.１ｍｍであり、物体側の曲率は７３１.１であり、結像側の曲率は７.６９１であり、
前記第４凸レンズの中心の厚みは３.５±０.１ｍｍであり、両体側の曲率は２１.３３であり、
前記第１凹凸レンズと第２凹凸レンズとの中心点の最短距離は０.１±０.１ｍｍであり、第２凹凸レンズと第３凹レンズとの中心点の最短距離は１.２７ｍｍであり、第３凹レンズと第４凸レンズとの中心点の最短距離は５.４±０.１ｍｍであり、第４凸レンズの中心点と画像取り込みユニット組との距離は１２.６４ｍｍであることを特徴とする請求項１又は２に記載のオートフォーカス監視カメラ。
【考案の詳細な説明】
【技術分野】
【０００１】
本考案は、特に遠近距離用オートフォーカス監視カメラに関するものである。
【背景技術】
【０００２】
監視場所で使用される監視カメラは、例えば、特開２０００−１３７１５７号「カメラ、レンズ位置調整機構、光学的撮像装置及びカメラにおけるレンズ位置を調整する方法」、特開平９−２８４７５４号「監視カメラシステム」及び、特開平５−１２７０６２号「カメラレンズのズーム制御装置」に開示され、主にズームによってフォーカスを調整するレンズ群と、画像処理ユニット組と、画像取り込みユニット組からなるものである。又、従来の監視カメラの優劣は、レンズ群により決定され、その内、レンズ群の品質はレンズの数量、レンズの光透過率、レンズの製造及びレンズ群における各レンズのフォーカスを調整する調整機構により決定される。
【考案の開示】
【考案が解決しようとする課題】
【０００３】
しかしながら、前記従来の監視カメラには、レンズ群における各レンズを調整する調整機構を駆動させるために、駆動回路板を設置しなければならなく、且つこれらの調整機構と駆動回路板の体積も大きいので、監視カメラの体積を減らすことができない。又、調整機構と駆動回路板を設置する場合には、監視カメラの製造コストが増加するため、監視カメラの値段を下げることができない。
【０００４】
そこで、案出されたのが本考案であって、遠近距離用オートフォーカス監視カメラを提供することを目的としている。
【課題を解決するための手段】
【０００５】
本願の請求項１の考案は、ケースに設置されるレンズ群と、画像取り込みユニット組と、照明装置と、感光モジュールとを有するオートフォーカス監視カメラであって、  
該レンズ群は順序に排列する第１凹凸レンズと、第２凹凸レンズと、第３凹レンズと、第４凸レンズとを有し、第１凹凸レンズと第２凹凸レンズの物体側の曲率半径は結像側より小さく、第３凹レンズが両面凹状のレンズであり、その物体側の曲率半径は結像側より大きく、第４凸レンズが両面凸状のレンズであり、その両面の曲率は等しいことを特徴とするオートフォーカス監視カメラ及び、  
本願の請求項２の考案は、前記レンズ群は、物理学のレンズ結像理論によって排列され、該レンズ結像理論は下記式（１）で示される。  
１/ｖ+１/ｕ＝ｆ …（１）  
前記ｆは焦点距離であり、ｕは物体側の距離であり、ｖは結像側の距離であることを特徴とする請求項１に記載のオートフォーカス監視カメラ及び、  
本願の請求項３の考案は、前記第１凹凸レンズの中心の厚みは５.１±０.１ｍｍであり、物体側の曲率は１４.１５５であり、結像側の曲率は２０１.８であり、  
前記第２凹凸レンズの中心の厚みは３.１±０.１ｍｍであり、物体側の曲率は１０.５４４であり、結像側の曲率は１７.２９８であり、  
前記第３凹レンズの中心の厚みは０.７±０.１ｍｍであり、物体側の曲率は７３１.１であり、結像側の曲率は７.６９１であり、  
前記第４凸レンズの中心の厚みは３.５±０.１ｍｍであり、両体側の曲率は２１.３３であり、  
前記第１凹凸レンズと第２凹凸レンズとの中心点の最短距離は０.１±０.１ｍｍであり、第２凹凸レンズと第３凹レンズとの中心点の最短距離は１.２７ｍｍであり、第３凹レンズと第４凸レンズとの中心点の最短距離は５.４±０.１ｍｍであり、第４凸レンズの中心点と画像取り込みユニット組との距離は１２.６４ｍｍであることを特徴とする請求項１又は２に記載のオートフォーカス監視カメラ、を提供する。
【考案の効果】
【０００６】
本考案は上記の課題を解決するものであり、第１凹凸レンズ、第２凹凸レンズ、第３凹レンズ及び第４凸レンズを有するレンズ群によって調整機構及び駆動回路板を設けなくても鮮明な映像を得ることができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るオートフォーカス監視カメラのレンズ群を示す断面図である。
【０００９】
本考案の主要な特徴は、レンズ群の構造であり、該レンズ群が四枚のレンズに介してＣＣＤ又はＣＭＯＳなどの撮像素子にすっかり見える画像を結像することができ、この現象は人類の網膜神経システムのように自動的に画像の解析度を調整し、又は望遠鏡のように、フォーカスの調整完了後、一定の距離範囲以内における全てのものをすっかり見える効果と等しい。
【００１０】
又、本考案における画像取り込みユニット組、照明装置及び感光モジュールは従来と等しいため、詳細な説明を省略し、ここでは、単に本考案の特徴であるレンズ群について、詳細に説明する。
【００１１】
図１に示すように、本考案に係るオートフォーカス監視カメラのレンズ群は、順序に排列する第１凹凸レンズ（１０）と、第２凹凸レンズ（１１）と、第３凹レンズ（１２）と、第４凸レンズ（１３）とを有し、第１凹凸レンズ（１０）と第２凹凸レンズ（１１）の物体側の曲率半径は結像側より小さい。
【００１２】
前記第３凹レンズ（１２）は両面凹状のレンズであり、その物体側の曲率半径は結像側より大きい。前記第４凸レンズ（１３）は両面凸状のレンズであり、その両面の曲率は等しい。
【００１３】
前記第１凹凸レンズ（１０）の作用は物体側からの平行光を短くなると共に、第２凹凸レンズ（１１）と第３凹レンズ（１２）にフォーカッシングし、更に、第４凸レンズ（１３）によって画像を画像取り込みユニット組に結像する。
【００１４】
前記レンズ群は、物理学のレンズ結像理論によって排列され、該レンズ結像理論は下記式（１）に示される。  
１/ｖ+１/ｕ＝ｆ…（１）  
前記ｆは焦点距離であり、ｕは物体側の距離であり、ｖは結像側の距離である。各レンズの排列組合は、物体側の距離＝結像側の距離及び、物の長さ＝結像の長さの光投射原理によって排列される。
【００１５】
例えば、物が二倍の焦点距離以外における場合、結像は縮小現象を有し、物が二倍の焦点距離における場合、結像は物と等しい大きさを有し、物が一倍と二倍の焦点距離における場合、結像は拡大現象を有し、物が一倍の焦点距離における場合、画像は無限距離で結像し（無結像現象）、物が一倍の焦点距離以内における場合、結像は仮想画像であり、又、物が無限距離における場合、画像は焦点距離に結像する。
【実施例】
【００１６】
本考案に係るオートフォーカス監視カメラのレンズ群の実施例について、前記第１凹凸レンズ（１０）の中心の厚みは5.１±０.１ｍｍであり、物体側の曲率は１４.１５５であり、結像側の曲率は２０１.８である。
【００１７】
前記第２凹凸レンズ（１１）の中心の厚みは３.１±０.１ｍｍであり、物体側の曲率は１０.５４４であり、結像側の曲率は１７.２９８である。
【００１８】
前記第３凹レンズ（１２）の中心の厚みは０.７±０.１ｍｍであり、物体側の曲率は７３１.１であり、結像側の曲率は７.６９１である。
【００１９】
前記第４凸レンズ（１３）の中心の厚みは３.５±０.１ｍｍであり、両側の曲率は２１.３３である。
【００２０】
前記第１凹凸レンズ（１０）と第２凹凸レンズ（１１）との中心点の最短距離は０.１±０.１ｍｍであり、第２凹凸レンズ（１１）と第３凹レンズ（１２）との中心点の最短距離は１.２７ｍｍであり、第３凹レンズ（１２）と第４凸レンズ（１３）との中心点の最短距離は５.４±０.１ｍｍであり、第４凸レンズ（１３）の中心点と画像取り込みユニット組との距離は１２.６４ｍｍである。
【産業上の利用可能性】
【００２１】
本考案は上記の構成を有するので、第１凹凸レンズ、第２凹凸レンズ、第３凹レンズ及び第４凸レンズを有するレンズ群によって調整機構及び駆動回路板を設けなくても鮮明な映像を得ることができる。
【図面の簡単な説明】
【００２２】
【図１】本考案に係るオートフォーカス監視カメラのレンズ群を示す断面図である。
【符号の説明】
【００２３】
１０        第１凹凸レンズ
１１        第２凹凸レンズ
１２        第３凹レンズ
１３        第４凸レンズ
【図１】
0003106392.tif 000003